(57)【特許請求の範囲】
【請求項１】
印刷情報を記憶する携帯端末装置と非接触で通信する画像形成装置において、
前記印刷情報を読取る読取手段を識別する識別情報と、前記印刷情報を処理する機能を示す機能情報と、前記機能の処理内容を示す機能設定情報とを対応付けて記憶する対応機能記憶手段と、
前記機能情報と前記機能設定情報とに応じた前記画像形成装置上の位置に配置され、前記携帯端末装置に記憶された前記印刷情報を読取る読取手段と、
前記対応機能記憶手段から、前記印刷情報を読取った前記読取手段が保持する前記識別情報に対応する前記機能情報と前記機能設定情報とを取得する機能取得手段と、
前記機能取得手段によって取得された前記機能情報と前記機能設定情報に基づいて前記印刷情報を処理する処理手段と、
を備えることを特徴とする画像形成装置。
【請求項２】
サーバ装置とネットワークを介して接続され、携帯端末装置と非接触で通信する画像形成装置において、
前記携帯端末装置から印刷情報の所有者を示す所属情報を読取る読取手段と、
前記所属情報を読取った前記読取手段が保持する前記機能情報と前記機能設定情報とを取得する機能取得手段と、
前記読取手段によって読取られた前記所属情報に対応する前記印刷情報を前記サーバ装置から受信する受信手段と、
前記機能取得手段によって取得された前記機能情報と前記機能設定情報に基づいて、前記受信手段によって受信した前記印刷情報を処理する処理手段と、
を備え、
前記読取手段は、前記印刷情報を出力した出力媒体を排紙するトレイごとに配置され、
前記処理手段は、前記機能取得手段によって取得された前記機能情報と前記機能設定情報から前記出力媒体を排紙する前記トレイを判断し、判断された前記トレイから前記出力媒体を排紙することを特徴とする画像形成装置。
【請求項３】
印刷情報を記憶し、情報記憶媒体に記憶された情報を読取る携帯端末装置と非接触通信により通信する画像形成装置において、
前記携帯端末装置から、前記印刷情報と前記携帯端末装置が前記画像形成装置に配置された前記情報記憶媒体から読取った前記画像形成装置を識別する画像形成装置識別情報と、前記印刷情報を処理する機能を示す機能情報と、前記機能の処理内容を示す機能設定情報とを受信する受信手段と、
前記受信手段によって受信された前記印刷情報と前記機能情報と前記機能設定情報とに基づいて前記印刷情報を処理する処理手段と、
を備え、
前記受信手段は、前記印刷情報と、前記印刷情報を出力する出力媒体を排紙するトレイごとに配置された前記情報記憶媒体から読取った前記画像形成装置を識別する画像形成装置識別情報と、前記印刷情報を処理する機能を示す機能情報と、前記機能の処理内容を示す機能設定情報とを受信し、
前記処理手段は、前記受信手段によって受信された前記機能情報と前記機能設定情報から前記出力媒体を排紙する前記トレイを判断し、判断された前記トレイから前記出力媒体を排紙することを特徴とする画像形成装置。
【請求項４】
携帯端末装置と、前記携帯端末装置と非接触で通信する画像形成装置とを備える印刷システムにおいて、
前記携帯端末装置は、
印刷情報を記憶する情報記憶媒体、を備え、
前記画像形成装置は、
前記携帯端末装置から前記印刷情報を読取る読取手段を識別する識別情報と、前記印刷情報を処理する機能を示す機能情報と、前記機能の処理内容を示す機能設定情報とを対応付けて記憶する対応機能記憶手段と、
前記機能情報と前記機能設定情報とに応じた前記画像形成装置上の位置に配置され、前記携帯端末装置に記憶された前記印刷情報を読取る読取手段と、
前記対応機能記憶手段から、前記印刷情報を読取った前記読取手段が保持する前記識別情報に対応する前記機能情報と前記機能設定情報とを取得する機能取得手段と、
前記機能取得手段によって取得された前記機能情報と前記機能設定情報に基づいて前記印刷情報を処理する処理手段と、
を備えることを特徴とする印刷システム。
【請求項５】
画像形成装置とサーバ装置と携帯端末装置とを備え、前記画像形成装置と前記サーバ装置とがネットワークを介して接続され、前記画像形成装置と携帯端末装置とが非接触で通信する印刷システムにおいて、
前記携帯端末装置は、
印刷情報の所有者を示す所属情報を記憶する情報記憶媒体、を備え、
前記サーバ装置は、
前記所属情報と前記印刷情報とを対応付けて記憶する記憶手段と、
前記画像形成装置から前記所属情報を受信する第１の受信手段と、
受信した前記所属情報に対応する前記印刷情報を前記記憶手段から取得する第１の取得手段と、
取得した前記印刷情報を送信する送信手段と、を備え、
前記画像形成装置は、
前記携帯端末装置から前記所属情報を読取る読取手段と、
前記所属情報を読取った前記読取手段が保持する前記機能情報と前記機能設定情報とを取得する第２の取得手段と、
前記サーバ装置から前記印刷情報を受信する第２の受信手段と、
前記機能取得手段によって取得された前記機能情報と前記機能設定情報に基づいて、前記印刷情報受信手段によって受信した前記印刷情報を処理する処理手段と、
を備え、
前記読取手段は、前記印刷情報を出力した出力媒体を排紙するトレイごとに配置され、
前記処理手段は、前記機能取得手段によって取得された前記機能情報と前記機能設定情報から前記出力媒体を排紙する前記トレイを判断し、判断された前記トレイから前記出力媒体を排紙することを特徴とする印刷システム。
【請求項６】
携帯端末装置と画像形成装置とを備え、前記携帯端末装置と画像形成装置が非接触で通信する印刷システムにおいて、
前記携帯端末装置は、
印刷情報を記憶する記憶手段と、
前記画像形成装置上の前記印刷情報を出力する出力媒体を排紙するトレイごとに配置された情報記憶媒体に記憶された前記画像形成装置を識別する画像形成装置識別情報と、前記印刷情報を処理する機能を示す機能情報と、前記機能の処理内容を示す機能設定情報と、を読取る読取手段と、
前記画像形成装置識別情報が示す前記画像形成装置に、前記機能情報と前記機能設定情報と前記記憶手段に記憶された前記印刷情報とを送信する送信手段と、を備え、
前記画像形成装置は、
前記機能情報と前記機能設定情報と前記印刷情報とを受信する受信手段と、
前記受信手段によって受信された前記機能情報と前記機能設定情報とに基づいて前記印刷情報を処理する処理手段と、
を備え、
前記処理手段は、前記受信手段によって受信された前記機能情報と前記機能設定情報から前記出力媒体を排紙する前記トレイを判断し、判断された前記トレイから前記出力媒体を排紙することを特徴とする印刷システム。
【請求項７】
携帯端末装置とサーバ装置と画像形成装置とを備え、前記携帯端末装置と前記サーバ装置が非接触で通信し、前記携帯端末装置と前記画像形成装置が非接触で通信する印刷システムにおいて、
前記携帯端末装置は、
印刷情報の所有者を示す所属情報を記憶する第１の記憶手段と、
前記画像形成装置上の前記印刷情報を出力する出力媒体を排紙するトレイごとに設置された情報記憶媒体に記憶された前記画像形成装置を識別する画像形成装置識別情報と、前記印刷情報を処理する機能を示す機能情報と、前記機能の処理内容を示す機能設定情報と、を読取る読取手段と、
前記画像形成装置識別情報が示す前記画像形成装置に、前記画像形成装置識別情報と前記機能情報と前記機能設定情報と前記第１の記憶手段に記憶された前記所属情報とを前記サーバ装置に送信する第１の送信手段と、を備え、
前記サーバ装置は、
前記所属情報と前記印刷情報とを対応付けて記憶する第２の記憶手段と、
前記画像形成装置識別情報と前記機能情報と前記機能設定情報と前記所属情報とを受信する第１の受信手段と、
受信した前記所属情報に対応する前記印刷情報を前記第２の記憶手段から取得する取得手段と、
取得した前記印刷情報と、前記機能情報と前記機能設定情報とを、前記画像形成装置識別情報に対応した前記画像形成装置に送信する第２の送信手段と、を備え、
前記画像形成装置は、
前記印刷情報と前記機能情報と前記機能設定情報とを受信する第２の受信手段と、
前記印刷情報受信手段によって受信された前記機能情報と前記機能設定情報とに基づいて前記印刷情報を処理する処理手段と、
を備え、
前記処理手段は、前記受信手段によって受信された前記機能情報と前記機能設定情報から前記出力媒体を排紙する前記トレイを判断し、判断された前記トレイから前記出力媒体を排紙することを特徴とする印刷システム。
【請求項８】
印刷情報を記憶する携帯端末装置と非接触で通信する画像形成装置で実行されるプログラムにおいて、
読取手段が、前記印刷情報を処理する機能を示す機能情報と前記機能の処理内容を示す機能設定情報とに応じた前記画像形成装置上の位置に配置された前記携帯端末装置に記憶された前記印刷情報を読取る読取ステップと、
機能取得手段が、前記印刷情報を読取る読取手段を識別する識別情報と、前記機能情報と、前記機能設定情報とを対応付けて記憶する対応機能記憶手段から、前記印刷情報を読取った前記読取手段が保持する前記識別情報に対応する前記機能情報と前記機能設定情報とを取得する機能取得ステップと、
処理手段が、前記機能取得ステップによって取得された前記機能情報と前記機能設定情報に基づいて前記印刷情報を処理する処理ステップと、
を前記画像形成装置で実行させることを特徴とするプログラム。
【請求項９】
サーバ装置とネットワークを介して接続され、携帯端末装置と非接触で通信する画像形成装置で実行されるプログラムにおいて、
印刷情報を出力する出力媒体を排紙するトレイごとに配置された読取手段が、前記携帯端末装置から前記印刷情報の所有者を示す所属情報を読取る読取ステップと、
機能取得手段が、前記所属情報を読取った前記読取手段が保持する前記機能情報と前記機能設定情報とを取得する機能取得ステップと、
受信手段が、前記読取ステップによって読取られた前記所属情報に対応する前記印刷情報を前記サーバ装置から受信する受信ステップと、
処理手段が、前記機能取得ステップによって取得された前記機能情報と前記機能設定情報から前記出力媒体を排紙する前記トレイを判断し、判断された前記トレイから前記出力媒体を排紙する処理ステップと、を前記画像形成装置で実行させることを特徴とするプログラム。
【請求項１０】
印刷情報を記憶し、情報記憶媒体に記憶された情報を読取る携帯端末装置と非接触通信により通信する画像形成装置で実行されるプログラムにおいて、
受信手段が、前記携帯端末装置から、前記印刷情報と、前記携帯端末装置が前記画像形成装置上の前記印刷情報を出力する出力媒体を排紙するトレイごとに配置された前記情報記憶媒体から読取った前記画像形成装置を識別する画像形成装置識別情報と、前記印刷情報を処理する機能を示す機能情報と、前記機能の処理内容を示す機能設定情報とを受信する受信ステップと、
処理手段が、前記受信ステップによって受信された前記機能情報と前記機能設定情報から前記出力媒体を排紙する前記トレイを判断し、判断された前記トレイから前記出力媒体を排紙する処理ステップと、
を前記画像形成装置で実行させることを特徴とするプログラム。
【発明の詳細な説明】
【技術分野】
【０００１】
本発明は、画像形成装置、印刷システムおよびプログラムに関する。
【背景技術】
【０００２】
近年、オフィス機器はネットワークを介して接続可能であり、機器同士の密接な連携が可能になっている。プリンタも例外ではなく、パーソナルコンピュータなどのクライアント端末から文書を印刷する場合は、ネットワークに接続されている複数のプリンタから所望のプリンタを出力先として指定することができる。
【０００３】
しかしながら、データを印刷するためにネットワークに接続されているプリンタを指定するためには、クライアント端末上でプリンタの識別情報を指定する必要があり、ユーザにとっては操作が煩雑であるという問題があった。
【０００４】
このような問題を解決するものとして、印刷処理を仲介するサーバを備える出力システムが開示されている（特許文献１参照）。かかる出力システムでは、印刷仲介サーバに予め印刷データや印刷要求情報を格納しておき、携帯電話からプリンタに識別情報を送信し、照合することにより、出力先であるプリンタを特定して印刷データを出力する。
【０００５】
【特許文献１】特開２００３−０３６１５１号公報
【発明の開示】
【発明が解決しようとする課題】
【０００６】
しかしながら、上記特許文献１に記載された技術では、ユーザが印刷時に出力したいプリンタ自体を指定することは可能であるが、印刷データが印刷された媒体を排紙するトレイは、ユーザが印刷要求情報を印刷仲介サーバに格納した時に印刷要求情報に設定されたトレイに排紙され、ユーザがプリンタを指示する際に空きトレイを確認できている場合であっても、ユーザが希望するトレイに排紙することができなかった。
【０００７】
本発明は、上記に鑑みてなされたものであって、印刷データを出力する機器および排紙トレイを容易に設定することができる画像形成装置、印刷システムおよびプログラムを提供することを目的とする。
【課題を解決するための手段】
【０００８】
上述した課題を解決し、目的を達成するために、請求項１にかかる発明は、印刷情報を記憶する携帯端末装置と非接触で通信する画像形成装置において、前記印刷情報を読取る読取手段を識別する識別情報と、前記印刷情報を処理する機能を示す機能情報と、前記機能の処理内容を示す機能設定情報とを対応付けて記憶する対応機能記憶手段と、前記機能情報と前記機能設定情報とに応じた前記画像形成装置上の位置に配置され、前記携帯端末装置に記憶された前記印刷情報を読取る読取手段と、前記対応機能記憶手段から、前記印刷情報を読取った前記読取手段が保持する前記識別情報に対応する前記機能情報と前記機能設定情報とを取得する機能取得手段と、前記機能取得手段によって取得された前記機能情報と前記機能設定情報に基づいて前記印刷情報を処理する処理手段と、を備えることを特徴とする。
【０００９】
また、請求項２にかかる発明は、サーバ装置とネットワークを介して接続され、携帯端末装置と非接触で通信する画像形成装置において、前記携帯端末装置から印刷情報の所有者を示す所属情報を読取る読取手段と、前記所属情報を読取った前記読取手段が保持する前記機能情報と前記機能設定情報とを取得する機能取得手段と、前記読取手段によって読取られた前記所属情報に対応する前記印刷情報を前記サーバ装置から受信する受信手段と、
前記機能取得手段によって取得された前記機能情報と前記機能設定情報に基づいて、前記受信手段によって受信した前記印刷情報を処理する処理手段と、を備え、前記読取手段は、前記印刷情報を出力した出力媒体を排紙するトレイごとに配置され、前記処理手段は、前記機能取得手段によって取得された前記機能情報と前記機能設定情報から前記出力媒体を排紙する前記トレイを判断し、判断された前記トレイから前記出力媒体を排紙することを特徴とする。
【００１１】
また、請求項３にかかる発明は、印刷情報を記憶し、情報記憶媒体に記憶された情報を読取る携帯端末装置と非接触通信により通信する画像形成装置において、前記携帯端末装置から、前記印刷情報と前記携帯端末装置が前記画像形成装置に配置された前記情報記憶媒体から読取った前記画像形成装置を識別する画像形成装置識別情報と、前記印刷情報を処理する機能を示す機能情報と、前記機能の処理内容を示す機能設定情報とを受信する受信手段と、前記受信手段によって受信された前記印刷情報と前記機能情報と前記機能設定情報とに基づいて前記印刷情報を処理する処理手段と、を備え、前記受信手段は、前記印刷情報と、前記印刷情報を出力する出力媒体を排紙するトレイごとに配置された前記情報記憶媒体から読取った前記画像形成装置を識別する画像形成装置識別情報と、前記印刷情報を処理する機能を示す機能情報と、前記機能の処理内容を示す機能設定情報とを受信し、前記処理手段は、前記受信手段によって受信された前記機能情報と前記機能設定情報から前記出力媒体を排紙する前記トレイを判断し、判断された前記トレイから前記出力媒体を排紙することを特徴とする。
【００１３】
また、請求項４にかかる発明は、携帯端末装置と、前記携帯端末装置と非接触で通信する画像形成装置とを備える印刷システムにおいて、前記携帯端末装置は、印刷情報を記憶する情報記憶媒体、を備え、前記画像形成装置は、前記携帯端末装置から前記印刷情報を読取る読取手段を識別する識別情報と、前記印刷情報を処理する機能を示す機能情報と、前記機能の処理内容を示す機能設定情報とを対応付けて記憶する対応機能記憶手段と、前記機能情報と前記機能設定情報とに応じた前記画像形成装置上の位置に配置され、前記携帯端末装置に記憶された前記印刷情報を読取る読取手段と、前記対応機能記憶手段から、前記印刷情報を読取った前記読取手段が保持する前記識別情報に対応する前記機能情報と前記機能設定情報とを取得する機能取得手段と、前記機能取得手段によって取得された前記機能情報と前記機能設定情報に基づいて前記印刷情報を処理する処理手段と、を備えることを特徴とする。
【００１４】
また、請求項５にかかる発明は、画像形成装置とサーバ装置と携帯端末装置とを備え、前記画像形成装置と前記サーバ装置とがネットワークを介して接続され、前記画像形成装置と携帯端末装置とが非接触で通信する印刷システムにおいて、前記携帯端末装置は、印刷情報の所有者を示す所属情報を記憶する情報記憶媒体、を備え、前記サーバ装置は、前記所属情報と前記印刷情報とを対応付けて記憶する記憶手段と、前記画像形成装置から前記所属情報を受信する第１の受信手段と、受信した前記所属情報に対応する前記印刷情報を前記記憶手段から取得する第１の取得手段と、取得した前記印刷情報を送信する送信手段と、を備え、前記画像形成装置は、前記携帯端末装置から前記所属情報を読取る読取手段と、前記所属情報を読取った前記読取手段が保持する前記機能情報と前記機能設定情報とを取得する第２の取得手段と、前記サーバ装置から前記印刷情報を受信する第２の受信手段と、前記機能取得手段によって取得された前記機能情報と前記機能設定情報に基づいて、前記印刷情報受信手段によって受信した前記印刷情報を処理する処理手段と、を備え、前記読取手段は、前記印刷情報を出力した出力媒体を排紙するトレイごとに配置され、前記処理手段は、前記機能取得手段によって取得された前記機能情報と前記機能設定情報から前記出力媒体を排紙する前記トレイを判断し、判断された前記トレイから前記出力媒体を排紙することを特徴とする。
【００１５】
また、請求項６にかかる発明は、携帯端末装置と画像形成装置とを備え、前記携帯端末装置と画像形成装置が非接触で通信する印刷システムにおいて、前記携帯端末装置は、印刷情報を記憶する記憶手段と、前記画像形成装置上の前記印刷情報を出力する出力媒体を排紙するトレイごとに配置された情報記憶媒体に記憶された前記画像形成装置を識別する画像形成装置識別情報と、前記印刷情報を処理する機能を示す機能情報と、前記機能の処理内容を示す機能設定情報と、を読取る読取手段と、前記画像形成装置識別情報が示す前記画像形成装置に、前記機能情報と前記機能設定情報と前記記憶手段に記憶された前記印刷情報とを送信する送信手段と、を備え、前記画像形成装置は、前記機能情報と前記機能設定情報と前記印刷情報とを受信する受信手段と、前記受信手段によって受信された前記機能情報と前記機能設定情報とに基づいて前記印刷情報を処理する処理手段と、を備え、前記処理手段は、前記受信手段によって受信された前記機能情報と前記機能設定情報から前記出力媒体を排紙する前記トレイを判断し、判断された前記トレイから前記出力媒体を排紙することを特徴とする。
【００１６】
また、請求項７にかかる発明は、携帯端末装置とサーバ装置と画像形成装置とを備え、前記携帯端末装置と前記サーバ装置が非接触で通信し、前記携帯端末装置と前記画像形成装置が非接触で通信する印刷システムにおいて、前記携帯端末装置は、印刷情報の所有者を示す所属情報を記憶する第１の記憶手段と、前記画像形成装置上の前記印刷情報を出力する出力媒体を排紙するトレイごとに設置された情報記憶媒体に記憶された前記画像形成装置を識別する画像形成装置識別情報と、前記印刷情報を処理する機能を示す機能情報と、前記機能の処理内容を示す機能設定情報と、を読取る読取手段と、前記画像形成装置識別情報が示す前記画像形成装置に、前記画像形成装置識別情報と前記機能情報と前記機能設定情報と前記第１の記憶手段に記憶された前記所属情報とを前記サーバ装置に送信する第１の送信手段と、を備え、前記サーバ装置は、前記所属情報と前記印刷情報とを対応付けて記憶する第２の記憶手段と、前記画像形成装置識別情報と前記機能情報と前記機能設定情報と前記所属情報とを受信する第１の受信手段と、受信した前記所属情報に対応する前記印刷情報を前記第２の記憶手段から取得する取得手段と、取得した前記印刷情報と、前記機能情報と前記機能設定情報とを、前記画像形成装置識別情報に対応した前記画像形成装置に送信する第２の送信手段と、を備え、前記画像形成装置は、前記印刷情報と前記機能情報と前記機能設定情報とを受信する第２の受信手段と、前記印刷情報受信手段によって受信された前記機能情報と前記機能設定情報とに基づいて前記印刷情報を処理する処理手段と、を備え、前記処理手段は、前記受信手段によって受信された前記機能情報と前記機能設定情報から前記出力媒体を排紙する前記トレイを判断し、判断された前記トレイから前記出力媒体を排紙することを特徴とする。
【００１７】
また、請求項８にかかる発明は、印刷情報を記憶する携帯端末装置と非接触で通信する画像形成装置で実行されるプログラムにおいて、読取手段が、前記印刷情報を処理する機能を示す機能情報と前記機能の処理内容を示す機能設定情報とに応じた前記画像形成装置上の位置に配置された前記携帯端末装置に記憶された前記印刷情報を読取る読取ステップと、機能取得手段が、前記印刷情報を読取る読取手段を識別する識別情報と、前記機能情報と、前記機能設定情報とを対応付けて記憶する対応機能記憶手段から、前記印刷情報を読取った前記読取手段が保持する前記識別情報に対応する前記機能情報と前記機能設定情報とを取得する機能取得ステップと、処理手段が、前記機能取得ステップによって取得された前記機能情報と前記機能設定情報に基づいて前記印刷情報を処理する処理ステップと、を前記画像形成装置で実行させることを特徴とする。
【００１８】
また、請求項９にかかる発明は、サーバ装置とネットワークを介して接続され、携帯端末装置と非接触で通信する画像形成装置で実行されるプログラムにおいて、印刷情報を出力する出力媒体を排紙するトレイごとに配置された読取手段が、前記携帯端末装置から前記印刷情報の所有者を示す所属情報を読取る読取ステップと、機能取得手段が、前記所属情報を読取った前記読取手段が保持する前記機能情報と前記機能設定情報とを取得する機能取得ステップと、受信手段が、前記読取ステップによって読取られた前記所属情報に対応する前記印刷情報を前記サーバ装置から受信する受信ステップと、処理手段が、前記機能取得ステップによって取得された前記機能情報と前記機能設定情報から前記出力媒体を排紙する前記トレイを判断し、判断された前記トレイから前記出力媒体を排紙する処理ステップと、を前記画像形成装置で実行させることを特徴とする。
【００１９】
また、請求項１０にかかる発明は、印刷情報を記憶し、情報記憶媒体に記憶された情報を読取る携帯端末装置と非接触通信により通信する画像形成装置で実行されるプログラムにおいて、受信手段が、前記携帯端末装置から、前記印刷情報と、前記携帯端末装置が前記画像形成装置上の前記印刷情報を出力する出力媒体を排紙するトレイごとに配置された前記情報記憶媒体から読取った前記画像形成装置を識別する画像形成装置識別情報と、前記印刷情報を処理する機能を示す機能情報と、前記機能の処理内容を示す機能設定情報とを受信する受信ステップと、処理手段が、前記受信ステップによって受信された前記機能情報と前記機能設定情報から前記出力媒体を排紙する前記トレイを判断し、判断された前記トレイから前記出力媒体を排紙する処理ステップと、を前記画像形成装置で実行させることを特徴とする。
【発明の効果】
【００２０】
本発明によれば、ユーザが複合機上のトレイに設定されているリーダ／ライタに携帯端末装置に記憶された印刷データを読み取らせることにより、排紙トレイを直接指示することができるため、印刷データを出力する機器および排紙トレイを容易に設定することができるという効果を奏する。
【発明を実施するための最良の形態】
【００２１】
以下に添付図面を参照して、本発明にかかる画像形成装置、印刷システムおよびプログラムの最良な実施の形態を詳細に説明する。なお、本発明はこれらの実施の形態に限定されるものではない。
【００２２】
（第１の実施の形態）
第１の実施の形態について添付図面を参照して説明する。本実施の形態は、画像形成装置として、コピー機能、ファクシミリ（ＦＡＸ）機能、プリント機能、スキャナ機能及び入力画像（スキャナ機能により読取られた原稿画像や、プリンタあるいはＦＡＸ機能により入力された画像）を配信する機能等を備えたいわゆる複合機（ＭＦＰ：Multi-Function Peripheral）を適用した例について説明する。
【００２３】
まず、本発明が適用される複合機および携帯端末装置を含む印刷システムの構成例について説明する。図１は、第１の実施の形態にかかる印刷システムの構成を示すブロック図である。本実施の形態にかかる印刷システム１０は、複合機１００と、携帯端末装置２００とを備え、複合機１００と携帯端末装置２００とは、非接触通信により通信可能である。また、複合機１００は、電話回線等に接続され、電話回線等を介して図示しない他の複合機やファクシミリ装置、クライアント端末装置等に接続され、ファクシミリ送受信が可能である。
【００２４】
まず、携帯端末装置２００について説明する。携帯端末装置２００は、ＮＦＣ（Near Field Communication）と呼ばれる非接触無線通信規格により複合機１００と非接触で双方向の通信を可能にするものである。具体的には、タグ、リーダ/ライタのいずれか一方、あるいは両方の機能をもつ。ここでは、タグと、通信の確立やデータの送受信を制御する通信制御プログラムとを内蔵したＮＦＣチップ２０１を備えたＩＣカードとして実現する（以下、携帯端末装置２００はＩＣカード２００と記す）。また、このタグには印刷データが格納されている。なお、印刷データは、画像データや文書データ、テキストデータ、その他様々な種類のデータのいずれであってもよい。
【００２５】
複合機１００のリーダ／ライタ部１０１の通信範囲内にＩＣカード２００が存在した場合に、ＩＣカード２００はリーダ／ライタ部１０１と通信を確立し、リーダ／ライタ部１０１によってタグ内の情報が読み取られることによりデータが送信されるようになっている。タグの記憶容量は、３２Ｋバイト程度であり、タグとリーダ／ライタ部１０１との通信速度は、８００Ｋｂｐｓ程度である。なお、タグへのデータの書き込みは、リーダ／ライタを用いてデータを書き込んでもよいし、図示しないＵＳＢ（Universal Serial Bus）などのＩ／Ｆを用いてデータを書き込んでもよい。
【００２６】
なお、本実施の形態では、携帯端末装置２００としてＩＣカードを一例に説明するが、携帯端末装置２００はＮＦＣチップ２０１を搭載する携帯電話、ＰＤＡ（Personal Digital Assistants）、ノートＰＣ、携帯型情報記憶媒体等であってもよい。
【００２７】
次に、複合機１００について説明する。複合機１００は、リーダ／ライタ部１０１−１〜１０１−ｎと、機能取得部１０２と、データ処理部１０３と、プリンタ部１０４と、排紙部１０５と、スキャナ部１０６と、ファクシミリ送受信部１０７と、機能対応記憶部１０８とを備えている。
【００２８】
リーダ／ライタ部１０１−１〜１０１−ｎは、前述したようにＮＦＣのリーダ/ライタの機能をもち、複合機１００の複数の排紙トレイそれぞれに設置され、ＩＣカード２００が通信範囲内に存在する場合にＩＣカード２００に格納されている印刷データを読取る。リーダ／ライタ部１０１は、ＮＦＣと呼ばれる非接触ＩＣ用無線通信規格によりＩＣカード２００と非接触で通信するものであり、具体的には、携帯端末装置２００のタグからのデータを非接触で読み出す通信制御プログラムを内蔵したリーダ／ライタである。なお、通信範囲は、通常０〜１０数ｃｍであるが、ユーザが所持するＩＣカード２００によって複合機１００に複数設定されているリーダ／ライタ部１０１のうちの１つを指示したことが認識できる距離、例えば５ｍｍ程度の距離に設定しておく。また、リーダ／ライタ部１０１は、読取った印刷データをデータ処理部１０３に送出するとともに、リーダ／ライタ部１０１が保持する自身を識別するリーダ／ライタ部ＩＤを機能取得部１０２に送出する。
【００２９】
図２は、リーダ／ライタ部が設置された位置の例を示す説明図である。図２に示すように、複合機１００の複数の排紙トレイそれぞれにリーダ／ライタ部１０１−１〜１０１−３が設置されている。このように、排紙トレイごとにリーダ／ライタ部１０１を設置しておき、ユーザが排紙トレイに設置されたいずれかのリーダ／ライタ部１０１にＩＣカード２００を近づけることにより、印刷データがリーダ／ライタ部１０１によって読取られ、かつ、出力媒体（例えば、印刷データが印刷された用紙）を排紙する排紙トレイが指示される。
【００３０】
機能対応記憶部１０８は、リーダ／ライタ部１０１を識別するリーダ／ライタ部ＩＤと、リーダ／ライタ部にＩＣカード２００を接近させてデータを読ませることにより指示される機能とを格納する。図３は、機能対応記憶部のデータ構成の一例を示す説明図である。機能対応記憶部１０８は、リーダ／ライタ部ＩＤと、機能ＩＤと、設定値とを対応付けて記憶する。図３の示すように、リーダ／ライタ部ＩＤ“１”は、機能ＩＤ“outtray”、設定値“internal”が設定されている。
【００３１】
機能取得部１０２は、ＩＣカード２００から印刷データを受信したリーダ／ライタ部ＩＤに対応する機能ＩＤ、設定値を機能対応記憶部１０８から取得することにより、印刷データに対する処理が決まる。図３に示すように、機能対応記憶部１０８にリーダ／ライタ部ＩＤ“１”に対応付けて機能ＩＤ“outtray”、設定値“internal”が記憶されているため、リーダ／ライタ部ＩＤ“１”が取得された場合は、出力媒体の排紙トレイが指示され、排紙トレイがトレイ（internal）となる。
【００３２】
データ処理部１０３は、リーダ／ライタ部１０１によって読取った印刷データに対して画像処理やレイアウト加工等を行う。プリンタ部１０４は、画像処理部１０３によって画像処理やレイアウト加工等された印刷データを出力媒体に印刷する。
【００３３】
排紙部１０５は、出力媒体をトレイに排紙するよう制御する。排紙部１０５は、プリンタ部１０４で印刷した出力媒体を機能取得部１０２で取得した機能ＩＤ、設定値に従った排紙トレイに出力媒体を排紙する。例えば、図２においてリーダ／ライタ部１０１−１にＩＣカード２００を接近させ、印刷データを読込ませた場合は、上述した処理の結果、トレイ（internal）から出力媒体が排紙される。
【００３４】
スキャナ部１０６は、ＣＣＤ（Charge Coupled Devices）等のような撮像素子で原稿を読み取る。なお、スキャナ部１０６には、ＡＤＦ（AutoDocument Feeder）を搭載して、自動原稿送りをしてもよい。
【００３５】
ファクシミリ送受信部１０７は、スキャナ部１０６によって読込まれたデータやＩＣカード２００から送信されたデータを、ネットワークを介して他の複合機やファクシミリ装置、クライアント端末などに送信する。また、ファクシミリ送受信部１０７は、他の複合機やファクシミリ装置、クライアント端末から送信されたデータを受信する。
【００３６】
次に、以上のように構成されている複合機１００とＩＣカード２００との印刷システム１０による機能設定／機能処理について説明する。図４は、印刷システムが行う機能設定／機能処理手順を示すフローチャートである。
【００３７】
まず、ＩＣカード２００において、ＮＦＣチップ２０１は複合機１００のリーダ／ライタ部１０１とのＮＦＣ通信が確立したか否かを判断する（ステップＳ４０１）。ＮＦＣ通信が確立していない、すなわちＩＣカード２００がリーダ／ライタ部１０１の通信範囲内に存在しないと判断した場合は（ステップＳ４０１：Ｎｏ）、ステップＳ４０１に戻り、複合機１００のリーダ／ライタ部１０１との通信が確立するまで繰り返す。
【００３８】
同様に、複合機１００のリーダ／ライタ部１０１−１〜１０１−ｎそれぞれにおいて、リーダ／ライタ部１０１はＩＣカード２００のＮＦＣチップ２０１とのＮＦＣ通信が確立したか否かを判断する（ステップＳ４０２）。ＮＦＣ通信が確立していない、すなわちＩＣカード２００がリーダ／ライタ部１０１の通信範囲内に存在しないと判断した場合は（ステップＳ４０２：Ｎｏ）、ステップＳ４０２に戻り、ＩＣカード２００のＮＦＣチップ２０１との通信が確立するまで繰り返す。
【００３９】
次に、ＮＦＣ通信が確立した、すなわちＩＣカード２００がリーダ／ライタ部１０１−１〜１０１−ｎのいずれかの通信範囲内に存在すると判断した場合は（ステップＳ４０１：Ｙｅｓ）、ＮＦＣチップ２０１は印刷データを送出する（ステップＳ４０３）。ここで、ＩＣカード２００が通信範囲内に存在する場合とは、ユーザがＩＣカード２００を複合機１００のリーダ／ライタ部１０１にタッチさせるような場合であり、ユーザが出力媒体を排紙させたいトレイを確実に指示することができる。
【００４０】
複合機１００において、ＮＦＣ通信が確立した、すなわちＩＣカード２００が通信範囲内に存在すると判断した場合は（ステップＳ４０２：Ｙｅｓ）、リーダ／ライタ部１０１はＩＣカード２００のＮＦＣチップ２０１から印刷データを読取る（ステップＳ４０４）。機能取得部１０２は、印刷データを読取ったリーダ／ライタ部１０１のＩＤ（リーダ／ライタ部ＩＤ）を取得する（ステップＳ４０５）。機能取得部１０２は、機能対応記憶部１０８からリーダ／ライタ部ＩＤに対応する機能ＩＤ、設定値を取得する（ステップＳ４０６）。次に、処理部は、機能ＩＤ、設定値に応じて印刷データを処理する。（ステップＳ４０７）。具体的には、データ処理部１０３は受信した印刷データに画像処理等を行い、プリンタ部１０４は画像処理等が行われた印刷データを出力媒体に出力する。排紙部１０５は、機能ＩＤ、設定値に応じて出力媒体を排紙する。例えば、機能ＩＤ“outtray”、設定値“finisherupper”の場合は、印刷データが出力された出力媒体がトレイ（finisherupper）から排紙される。
【００４１】
このように、複合機１００のトレイに設置されているリーダ／ライタ部１０１にＩＣカード２００を近づけることで、複合機１００がＩＣカード２００から印刷データを読取るとともに、印刷データを出力する複合機１００と排紙トレイを指示することができるため、ユーザが複合機１００のトレイを確認した上で指示したトレイに出力媒体を排紙することができるため、使用していないトレイに出力媒体を排紙することができ、利便性が向上する。
【００４２】
また、出力媒体を排紙させたいトレイにＩＣカード２００を近づけることによりトレイを指示することができるため、人間の感覚に合った直感的な指示が可能となり、ユーザに優しいインタフェースを実現することができる。
【００４３】
なお、本実施の形態では、出力媒体を排紙するトレイを指示する例によって説明したが、出力媒体をトレイに排紙する場合に限らず、例えば給紙トレイごとにリーダ／ライタ部を設置し、ＩＣカードで給紙トレイを指示するようにしてもよい。また、画像形成装置に限らず、パーソナルコンピュータ等の表示画面でデータを表示する際に、表示画面の４隅に設置されたリーダ／ライタ部にＩＣカードを近づけることにより、データを表示する位置を指示するようにしてもよい。
【００４４】
次に、複合機１００のハードウェア構成を説明する。図５は、本実施の形態にかかる複合機のハードウェア構成を示す説明図である。図５に示すように、デジタル複合機１００は、コントローラ３１０とプリンタ部１０４およびスキャナ部１０６とをＰＣＩ（Peripheral Component Interconnect）バスで接続した構成となる。コントローラ３１０は、デジタル複合機１００全体の制御と描画、通信、操作部３２０からの入力を制御するコントローラである。なお、プリンタ部１０４またはスキャナ部１０６には、誤差拡散やガンマ変換などの画像処理部分が含まれる。操作部３２０は、スキャナ部１０６で読み取られた原稿の原稿画像情報等をＬＣＤ（Liquid Crystal Display）に表示するとともに操作者からの入力をタッチパネルを介して受け付ける操作表示部３２０ａと、操作者からのキー入力を受け付けるキーボード部３２０ｂとを有している。
【００４５】
本実施の形態にかかるデジタル複合機１００は、操作部３２０のアプリケーション切り替えキーにより、ドキュメントボックス機能、コピー機能、プリンタ機能、およびファクシミリ機能を切り替えて選択することが可能となっている。ドキュメントボックス機能の選択時にはドキュメントボックスモードとなり、コピー機能の選択時にはコピーモードとなり、プリンタ機能の選択時にはプリンタモードとなり、ファクシミリ機能の選択時にはファクシミリモードとなる。
【００４６】
コントローラ３１０は、コンピュータの主要部であるＣＰＵ（Central Processing Unit）３１１と、システムメモリ（ＭＥＭ−Ｐ）３１２と、ノースブリッジ（ＮＢ）３１３と、サウスブリッジ（ＳＢ）３１４と、ＡＳＩＣ（Application Specific Integrated Circuit）３１６と、記憶部であるローカルメモリ（ＭＥＭ−Ｃ）３１７と、記憶部であるハードディスクドライブ（ＨＤＤ）３１８とを有し、ＮＢ３１３とＡＳＩＣ３１６との間をＡＧＰ（Accelerated Graphics Port）バス３１５で接続した構成となる。また、ＭＥＭ−Ｐ３１２は、ＲＯＭ（Read Only Memory）３１２ａと、ＲＡＭ（Random Access Memory）３１２ｂとをさらに有する。
【００４７】
ＣＰＵ３１１は、デジタル複合機１００の全体制御を行うものであり、ＮＢ３１３、ＭＥＭ−Ｐ３１２およびＳＢ３１４からなるチップセットを有し、このチップセットを介して他の機器と接続される。
【００４８】
ＮＢ３１３は、ＣＰＵ３１１とＭＥＭ−Ｐ３１２、ＳＢ３１４、ＡＧＰバス３１５とを接続するためのブリッジであり、ＭＥＭ−Ｐ３１２に対する読み書きなどを制御するメモリコントローラと、ＰＣＩマスタおよびＡＧＰターゲットとを有する。
【００４９】
ＭＥＭ−Ｐ３１２は、プログラムやデータの格納用メモリ、プログラムやデータの展開用メモリ、プリンタの描画用メモリなどとして用いるシステムメモリであり、ＲＯＭ３１２ａとＲＡＭ３１２ｂとからなる。ＲＯＭ３１２ａは、ＣＰＵ３１１の動作を制御するプログラムやデータの格納用メモリとして用いる読み出し専用のメモリであり、ＲＡＭ３１２ｂは、プログラムやデータの展開用メモリ、プリンタの描画用メモリなどとして用いる書き込みおよび読み出し可能なメモリである。
【００５０】
ＳＢ３１４は、ＮＢ３１３とＰＣＩデバイス、周辺デバイスとを接続するためのブリッジである。このＳＢ３１４は、ＰＣＩバスを介してＮＢ３１３と接続されており、このＰＣＩバスには、ネットワークインタフェース（Ｉ／Ｆ）部３８０なども接続される。
【００５１】
ＡＳＩＣ３１６は、画像処理用のハードウェア要素を有する画像処理用途向けのＩＣ（Integrated Circuit）であり、ＡＧＰバス３１５、ＰＣＩバス、ＨＤＤ３１８およびＭＥＭ−Ｃ３１７をそれぞれ接続するブリッジの役割を有する。このＡＳＩＣ３１６は、ＰＣＩターゲットおよびＡＧＰマスタと、ＡＳＩＣ３１６の中核をなすアービタ（ＡＲＢ）と、ＭＥＭ−Ｃ３１７を制御するメモリコントローラと、ハードウェアロジックなどにより画像データの回転などを行う複数のＤＭＡＣ（Direct Memory Access Controller）と、プリンタ部１０４やスキャナ部１０６との間でＰＣＩバスを介したデータ転送を行うＰＣＩユニットとからなる。このＡＳＩＣ３１６には、ＰＣＩバスを介してＦＣＵ（Fax Control Unit）３３０、ＵＳＢ（Universal Serial Bus）３４０、ＩＥＥＥ１３９４（the Institute of Electrical and Electronics Engineers 1394）インタフェース３５０が接続される。
【００５２】
ＭＥＭ−Ｃ３１７は、コピー用画像バッファ、符号バッファとして用いるローカルメモリであり、ＨＤＤ３１８は、画像データの蓄積、ＣＰＵ３１１の動作を制御するプログラムの蓄積、フォントデータの蓄積、フォームの蓄積を行うためのストレージである。
【００５３】
ＡＧＰバス３１５は、グラフィック処理を高速化するために提案されたグラフィックスアクセラレータカード用のバスインタフェースであり、ＭＥＭ−Ｐ３１２に高スループットで直接アクセスすることにより、グラフィックスアクセラレータカードを高速にするものである。
【００５４】
なお、本実施の形態の複合機１００で実行されるプログラムは、ＲＯＭ等に予め組み込まれて提供される。本実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００５５】
さらに、本実施の形態の複合機１００で実行されるプログラムを、インターネット等のネットワークに接続されたコンピュータ上に格納し、ネットワーク経由でダウンロードさせることにより提供するように構成してもよい。また、本実施形態の複合機１００で実行されるプログラムをインターネット等のネットワーク経由で提供または配布するように構成してもよい。
【００５６】
本実施の形態の複合機１００で実行されるプログラムは、上述した各部（リーダ／ライタ部の通信制御部、機能取得部、データ処理部、ファクシミリ送受信部など）を含むモジュール構成となっており、実際のハードウェアとしてはＣＰＵ（プロセッサ）が上記ＲＯＭからプログラムを読み出して実行することにより上記各部が主記憶装置上にロードされ、リーダ／ライタ部の通信制御部、機能取得部、データ処理部、ファクシミリ送受信部などが主記憶装置上に生成されるようになっている。
【００５７】
なお、機能対応記憶部１０８は、ＨＤＤ（Hard Disk Drive）、光ディスク、メモリカードなどの一般的に利用されているあらゆる記憶媒体により構成することができる。
【００５８】
なお、上述した実施の形態では、複合機を一例として説明したが、本発明は複合機に限る必要はなく、コピー機、ファクシミリ、プリンタを含む様々な装置に適用することができる。
【００５９】
なお、本実施の形態では、リーダ／ライタ部１０１にリーダ／ライタ部ＩＤを保持し、機能対応記憶部１０８に格納されたリーダ／ライタ部ＩＤに対応する機能ＩＤ、設定値を取得する構成としているが、後述する第２〜第４の実施の形態のように、リーダ／ライタ部１０１に機能ＩＤ、設定値を保持する構成としてもよい。詳細は後述する。
【００６０】
（第２の実施の形態）
第２の実施の形態について、添付図面を参照して説明する。本発明が適用される複合機および携帯端末装置の構成例について、第１の実施の形態と異なる部分を説明する。他の部分については第１の実施の形態と同様であるので、上述した説明を参照し、ここでの説明を省略する。
【００６１】
図６は、第２の実施の形態にかかる印刷システムの構成を示すブロック図である。本実施の形態にかかる印刷システム２０は、複合機４００と、携帯端末装置５００とを備え、複合機４００と携帯端末装置５００とは、非接触通信により通信可能である。また、複合機１００は、複数の排紙トレイそれぞれにＮＦＣチップが貼り付けられている。
【００６２】
まず、携帯端末装置５００について説明する。携帯端末装置５００は、リーダ／ライタ部５０１と、ブルートゥース通信部５０２と、データ記憶部５０３とを備えている。なお、携帯端末装置５００は、具体的には第１の実施の形態と同様に、かかる構成を備えた携帯電話、ＰＤＡ、ノートＰＣ、携帯型情報記憶媒体、ＩＣカード等のいずれであってもよい。
【００６３】
リーダ／ライタ部５０１は、上述した複合機１００のリーダ／ライタ部１０１と同様の機能、構成を備えている。リーダ／ライタ部５０１は、携帯端末装置５００が複合機４００の排紙トレイそれぞれに配置されたＮＦＣチップ６００−１〜６００−ｎのいずれかの通信範囲内に接近した場合に、ＮＦＣ通信を確立し、ＮＦＣチップ６００に格納されている複合機ＩＤ、機能ＩＤ、設定値を読取る。
【００６４】
ブルートゥース通信部５０２は、Bluetooth（Ｒ）規格により複合機４００と非接触で通信するものである。Bluetooth（Ｒ）規格の無線通信方式を採用したブルートゥース通信部５０２は、ＮＦＣ規格の非接触通信方式のＮＦＣ通信と比較して大容量かつ高速（１〜２Ｍｂｐｓ）でデータの送受信を行う。また、Bluetooth（Ｒ）規格の無線通信方式を採用したブルートゥース通信部５０２では、機器間の距離が１０ｍ以内であれば障害物があっても利用することができ、ＮＦＣ規格の通信方式の通信範囲に比べて通信範囲が長くなっている。
【００６５】
ブルートゥース通信部５０２は、具体的には、データの送受信を担うBluetooth（Ｒ）規格のトランシーバ等のBluetooth（Ｒ）  I／F（インタフェース）と、通信制御部とから構成される。Bluetooth（Ｒ）  I／Fは、接続先の複合機４００との間でデータの送受信を担うものである。通信制御部は、複合機４００との間でデータを送受信する前に、Bluetooth（Ｒ）  I／Fを介して通信設定情報を通信先と交換して、Bluetooth（R）規格の無線通信を確立する処理を行う通信制御プログラムである。この通信設定情報としては、Bluetooth（Ｒ）  I／Fに割り当てられた固有のアドレス情報を用いる。
【００６６】
なお、本実施の形態では、無線通信としてBluetooth（Ｒ）規格に準拠したブルートゥース通信部５０２を用いているが、これに限定されるものではなく、Bluetooth（Ｒ）規格に代えて他の規格、例えば、ＩＥＥＥ８０２．１１ａ／ＩＥＥＥ８０２．１１ｂ規格のＷｉＦｉ（Wireless Fidelity）方式で無線通信を行うように構成することができる。この場合、データの送受信を担うＩＥＥＥ８０２．１１ａ／ＩＥＥＥ８０２．１１ｂ規格のネットワークボードとＩＥＥＥ８０２．１１ａ／ＩＥＥＥ８０２．１１ｂによる無線通信の確立やデータの送受信を制御する通信制御部（通信制御プログラム）でＷｉＦｉ通信部を構成すればよい。また、ＵＷＢ通信方式で機器間の距離が３ｍ以内なら有線のＵＳＢ２．０と同等の４８０Ｍｂｐｓでの通信が可能なWireless USB規格で無線通信を行うように構成することができる。この場合には、データの送受信を担うWireless USB規格のＵＳＢデバイスとＵＷＢ方式による無線通信の確立やデータの送受信を制御する通信制御部（通信制御プログラム）によりWireless USB通信部を構成すればよい。
【００６７】
また、ブルートゥース通信部５０２は、ブルートゥース通信が確立した場合は、データ記憶部５０３に格納された印刷データを複合機４００に送信する。
【００６８】
次に、複合機４００について説明する。複合機４００は、ブルートゥース通信部４０９と、機能取得部１０２と、データ処理部１０３と、プリンタ部１０４と、排紙部１０５と、スキャナ部１０６と、ファクシミリ送受信部１０７とを備えている。ここで、機能取得部１０２と、データ処理部１０３と、プリンタ部１０４と、排紙部１０５と、スキャナ部１０６と、ファクシミリ送受信部１０７の構成、機能は、第１の実施の形態とほぼ同様であるので、説明を省略する。
【００６９】
ブルートゥース通信部４０９は、携帯端末装置５００のブルートゥース通信部５０２との通信が確立した場合は、携帯端末装置５００から送信された印刷データを受信する。
【００７０】
次に、複合機４００に設置されたＮＦＣチップ６００−１〜６００−ｎについて説明する。ＮＦＣチップ６００−１〜６００−ｎは、複数の排紙トレイそれぞれに設置されている。図７は、ＮＦＣチップに格納されているデータの一例を示す説明図である。図７に示すように、ＮＦＣチップが設置されている複合機４００を識別する複合機ＩＤ、ＮＦＣチップを読取ることによって指示される機能を示す機能ＩＤ、機能の内容を示す設定値が格納されている。例えば、複合機ＩＤ“XXXXXX”、機能ＩＤ“outtray”、設定値“internal”が格納されている。複合機ＩＤは、複合機のＩＰアドレスであってもよい。
【００７１】
次に、以上のように構成されている複合機４００と携帯端末装置５００とＮＦＣチップ６００を備える印刷システム２０による機能設定／機能処理について説明する。図８は、印刷システムが行う機能設定／機能処理手順を示すフローチャートである。
【００７２】
まず、複合機４００の複数のトレイに設置されたＮＦＣチップ６００−１〜６００−ｎそれぞれにおいて、ＮＦＣチップ６００は携帯端末装置５００のリーダ／ライタ部５０１とのＮＦＣ通信が確立したか否かを判断する（ステップＳ８０１）。ＮＦＣ通信が確立していない、すなわち携帯端末装置５００のリーダ／ライタ部５０１がＮＦＣチップ６００の通信範囲内に存在しないと判断した場合は（ステップＳ８０１：Ｎｏ）、ステップＳ８０１に戻り、携帯端末装置５００のリーダ／ライタ部５０１との通信が確立するまで繰り返す。
【００７３】
同様に、携帯端末装置５００のリーダ／ライタ部５０１において、リーダ／ライタ部５０１はＮＦＣチップ６００とのＮＦＣ通信が確立したか否かを判断する（ステップＳ８０２）。ＮＦＣ通信が確立していない、すなわち携帯端末装置５００のリーダ／ライタ部５０１がＮＦＣチップ６００の通信範囲内に存在しないと判断した場合は（ステップＳ８０２：Ｎｏ）、ステップＳ８０２に戻り、ＮＦＣチップ６００との通信が確立するまで繰り返す。
【００７４】
次に、ＮＦＣ通信が確立した、すなわち携帯端末装置５００がＮＦＣチップ６００−１〜６００−ｎのいずれかの通信範囲内に存在すると判断した場合は（ステップＳ８０１：Ｙｅｓ）、ＮＦＣチップ６００は複合機ＩＤ、機能ＩＤ、設定値を送出する（ステップＳ８０３）。ここで、携帯端末装置５００が通信範囲内に存在する場合とは、ユーザが携帯端末装置５００を複合機４００上のＮＦＣチップ６００にタッチさせるような場合であり、ユーザが出力媒体を排紙させたいトレイを確実に指示することができる。
【００７５】
携帯端末装置５００において、ＮＦＣ通信が確立した、すなわち携帯端末装置５００が通信範囲内に存在すると判断した場合は（ステップＳ８０２：Ｙｅｓ）、リーダ／ライタ部５０１はＮＦＣチップ６００から複合機ＩＤ、機能ＩＤ、設定値を読取る（ステップＳ８０４）。次に、ブルートゥース通信部５０２は、データ記憶部５０３から印刷データを取得する（ステップＳ８０５）。ブルートゥース通信部５０２は、機能ＩＤ、設定値、印刷データを、複合機ＩＤに対応する複合機４００に送信する（ステップＳ８０６）。なお、ブルートゥース通信に必要な通信設定情報は、予め複合機４００と携帯端末装置５００との間で交換されているものとする。
【００７６】
複合機４００において、ブルートゥース通信部４０９は携帯端末装置５００から送信された機能ＩＤ、設定値、印刷データを受信する（ステップＳ８０７）。次に、処理部は、機能ＩＤ、設定値に応じて印刷データを処理する。（ステップＳ８０８）。具体的には、データ処理部１０３は受信した印刷データに画像処理等を行い、プリンタ部１０４は画像処理等が行われた印刷データを出力媒体に出力する。排紙部１０５は、機能ＩＤ、設定値に応じて出力媒体を排紙する。例えば、機能ＩＤ“outtray”、設定値“finisherupper”の場合は、印刷データが出力された出力媒体がトレイ（finisherupper）から排紙される。
【００７７】
このように、複合機４００と携帯端末装置５００がブルートゥース通信部を備え、ブルートゥース通信によって印刷データを複合機４００に送信することにより、ＮＦＣ通信に比べ高速でデータを送信することができるため、転送時間を短縮することができる。
【００７８】
また、携帯端末装置５００として、携帯電話やＰＤＡ、ノートＰＣにリーダ／ライタ部５０１を備えた構成とすることにより、第１の実施の形態で説明したＩＣカードに比べて大容量の印刷データを格納することができる。
【００７９】
（第３の実施の形態）
第３の実施の形態について、添付図面を参照して説明する。本発明が適用される印刷システムの構成例について、第１の実施の形態と異なる部分を説明する。他の部分については第１の実施の形態と同様であるので、上述した説明を参照し、ここでの説明を省略する。
【００８０】
図９は、第３の実施の形態にかかる印刷システムの構成を示すブロック図である。本実施の形態にかかる印刷システム３０は、複合機７００と、携帯端末装置２００と、サーバ装置８００とを備え、複合機７００と携帯端末装置２００とは、非接触通信により通信可能である。また、複合機７００とサーバ装置８００は、ＴＣＰ／ＩＰ等のプロトコルを使用する有線または無線のＬＡＮ（Local Area Network）等のネットワーク９００に接続され、ネットワーク９００を介して通信が可能である。
【００８１】
携帯端末装置２００は、上述した第１の実施の形態で説明した機能、構成とほぼ同一である。ＮＦＣチップ２０１に格納されているデータは、印刷データではなく所属情報である。ここで、所属情報とは、印刷データの所有者を特定するための情報であり、例えばユーザ名やユーザＩＤ等である。
【００８２】
次に、複合機７００について説明する。複合機７００は、リーダ／ライタ部１０１−１〜１０１−ｎと、機能取得部１０２と、データ処理部１０３と、プリンタ部１０４と、排紙部１０５と、スキャナ部１０６と、ファクシミリ送受信部１０７と、印刷データ取得部７１０と、送受信部７１１と、ＩＰアドレス記憶部７１２とを備えている。ここで、リーダ／ライタ部１０１−１〜１０１−ｎと、機能取得部１０２と、データ処理部１０３と、プリンタ部１０４と、排紙部１０５と、スキャナ部１０６と、ファクシミリ送受信部１０７の構成、機能は、第１の実施の形態とほぼ同様であるので、説明を省略する。
【００８３】
リーダ／ライタ部１０１−１〜１０１−ｎは、上述した第１の実施の形態で説明した機能、構成とほぼ同一である。リーダ／ライタ部１０１−１〜１０１−ｎは、携帯端末装置２００が通信範囲内に接近した場合に携帯端末装置２００から所属情報を読取る。
【００８４】
ＩＰアドレス記憶部７１２は、印刷データを格納しているサーバ装置８００のＩＰアドレスを格納する。
【００８５】
印刷データ取得部７１０は、ＩＰアドレス記憶部７１２に記憶されたＩＰアドレスを用いて、ＩＰアドレスに対応するサーバ装置８００に所属情報送信指示を送信する。また、印刷データ取得部７１０は、サーバ装置８００から送信された所属情報と、リーダ／ライタ部１０１が読取った所属情報とが一致するか否かを判断し、所属情報が一致した場合はサーバ装置８００から所属情報に対応する印刷データを取得する。
【００８６】
送受信部７１１は、サーバ装置８００とネットワーク９００を介してデータを送受信する。送受信部７１１は、サーバ装置８００に所属情報送信要求を送信し、所属情報送信要求に対応する所属情報を複合機７００から受信する。また、送受信部７１１は、サーバ装置８００に所属情報を送信し、所属情報に対応する印刷情報を受信する。
【００８７】
次に、サーバ装置８００について説明する。サーバ装置８００は、送受信部８０１と、データ取得部８０２と、印刷情報データベース８０３とを備えている。他の機能、構成については、一般的なサーバ装置と同様であり、詳細な説明は省略する。
【００８８】
送受信部８０１は、複合機７００とネットワーク９００を介してデータを送受信する。送受信部８０１は、複合機７００から送信された所属情報送信要求を受信し、所属情報送信要求に対応する所属情報を複合機７００に送信する。また、送受信部８０１は、複合機７００から所属情報を受信し、所属情報に対応する印刷データを送信する。
【００８９】
印刷情報データベース８０３は、所属情報と印刷データを対応付けて記憶する。図１０は、印刷情報データベースのデータ構成の一例を示す説明図である。
【００９０】
データ取得部８０２は、送受信部８０１が所属情報送信要求を受信した場合、印刷情報データベース８０３に格納されている所属情報を取得する。また、データ取得部８０２は、送受信部８０１が所属情報を受信した場合、印刷情報データベース８０３から所属情報に対応する印刷データを取得する。
【００９１】
次に、以上のように構成されている複合機７００とＩＣカード２００とサーバ装置８００を備える印刷システム３０による機能設定／機能処理について説明する。図１１は、印刷システムが行う機能設定／機能処理手順を示すフローチャートである。
【００９２】
まず、ＩＣカード２００において、ＮＦＣチップ２０１は複合機７００のリーダ／ライタ部１０１とのＮＦＣ通信が確立したか否かを判断する（ステップＳ１１０１）。ＮＦＣ通信が確立していない、すなわちＩＣカード２００がリーダ／ライタ部１０１の通信範囲内に存在しないと判断した場合は（ステップＳ１１０１：Ｎｏ）、ステップＳ１１０１に戻り、複合機７００のリーダ／ライタ部１０１との通信が確立するまで繰り返す。
【００９３】
同様に、複合機７００のリーダ／ライタ部１０１−１〜１０１−ｎそれぞれにおいて、リーダ／ライタ部１０１はＩＣカード２００のＮＦＣチップ２０１とのＮＦＣ通信が確立したか否かを判断する（ステップＳ１１０２）。ＮＦＣ通信が確立していない、すなわちＩＣカード２００がリーダ／ライタ部１０１の通信範囲内に存在しないと判断した場合は（ステップＳ１１０２：Ｎｏ）、ステップＳ１１０２に戻り、ＩＣカード２００のＮＦＣチップ２０１との通信が確立するまで繰り返す。
【００９４】
次に、ＮＦＣ通信が確立した、すなわちＩＣカード２００がリーダ／ライタ部１０１−１〜１０１−ｎのいずれかの通信範囲内に存在すると判断した場合は（ステップＳ１１０１：Ｙｅｓ）、ＮＦＣチップ２０１は格納している所属情報を送出する（ステップＳ１１０３）。ここで、ＩＣカード２００が通信範囲内に存在する場合とは、ユーザがＩＣカード２００を複合機７００のリーダ／ライタ部１０１にタッチさせるような場合であり、ユーザが出力媒体を排紙させたいトレイを確実に指示することができる。
【００９５】
複合機７００において、ＮＦＣ通信が確立した、すなわちＩＣカード２００が通信範囲内に存在すると判断した場合は（ステップＳ１１０２：Ｙｅｓ）、リーダ／ライタ部１０１はＩＣカード２００のＮＦＣチップ２０１から所属情報を読取る（ステップＳ１１０４）。機能取得部１０２は、所属情報を読取ったリーダ／ライタ部１０１に保持された機能ＩＤ、設定値を取得する（ステップＳ１１０５）。印刷データ取得部７１０は、全所属情報を受信終了したか否かを判断する（ステップＳ１１０６）。全所属情報を受信終了したと判断した場合は（ステップＳ１１０６：Ｙｅｓ）、処理を終了する。全所属情報を受信終了していないと判断した場合は（ステップＳ１１０６：Ｎｏ）、所属情報送信要求をサーバ装置８００に送信する（ステップＳ１１０７）。
【００９６】
サーバ装置８００において、送受信部８０１は所属情報送信要求を受信する（ステップＳ１１０８）。データ取得部８０２は、印刷情報データベース８０３から所属情報を取得する（ステップＳ１１０９）。送受信部８０１は、所属情報を複合機７００に送信する（ステップＳ１１１０）。
【００９７】
複合機７００において、送受信部７１１は所属情報を受信する（ステップＳ１１１１）。印刷データ取得部７１０は、ＩＣカード２００から読取った所属情報とサーバ装置８００から送信された所属情報が一致するか否かを判断する（ステップＳ１１１２）。ＩＣカード２００から読取った所属情報とサーバ装置８００から送信された所属情報が一致しないと判断した場合は（ステップＳ１１１２：Ｎｏ）、ステップＳ１１０６に戻る。
【００９８】
ＩＣカード２００から読取った所属情報とサーバ装置８００から送信された所属情報が一致すると判断した場合は（ステップＳ１１１２：Ｙｅｓ）、送受信部７１１はサーバ装置８００に印刷データ送信指示を送信する（ステップＳ１１１３）。
【００９９】
サーバ装置８００において、送受信部８０１は印刷データ送信指示を受信する（ステップＳ１１１４）。データ取得部８０２は、印刷情報データベース８０３から所属情報に対応する印刷データを取得する（ステップＳ１１１５）。送受信部８０１は、印刷データを複合機７００に送信する（ステップＳ１１１６）。
【０１００】
複合機７００において、送受信部７１１は印刷データを受信する（ステップＳ１１１７）。次に、処理部は、機能ＩＤ、設定値に応じて印刷データを処理する。（ステップＳ１１１８）。具体的には、データ処理部１０３は受信した印刷データに画像処理等を行い、プリンタ部１０４は画像処理等が行われた印刷データを出力媒体に出力する。排紙部１０５は、機能ＩＤ、設定値に応じて出力媒体を排紙する。例えば、機能ＩＤ“outtray”、設定値“finisherupper”の場合は、印刷データが出力された出力媒体がトレイ（finisherupper）から排紙される。
【０１０１】
このように、複合機７００や機能を指示するＩＣカード２００とは別に印刷データをサーバ装置８００に格納しておき、ＩＣカード２００で複合機７００に印刷データの出力を指示した際に、サーバ装置８００から印刷データを受信することにより、ＩＣカード２００に印刷データを格納する必要がないため、大容量の印刷データを出力することができる。
【０１０２】
（第４の実施の形態）
第４の実施の形態について、添付図面を参照して説明する。本発明が適用される複合機および携帯端末装置の構成例について、第１の実施の形態と異なる部分を説明する。他の部分については第１の実施の形態と同様であるので、上述した説明を参照し、ここでの説明を省略する。
【０１０３】
図１２は、第４の実施の形態にかかる印刷システムの構成を示すブロック図である。本実施の形態にかかる印刷システム４０は、複合機１０００と、携帯端末装置５００と、サーバ装置１１００とを備える。複合機１０００と携帯端末装置５００は、非接触通信により通信可能であり、サーバ装置１１００と携帯端末装置５００は、非接触通信により通信可能である。複合機１０００とサーバ装置１１００は、ＴＣＰ／ＩＰ等のプロトコルを使用する有線または無線のＬＡＮ等のネットワーク９００に接続され、ネットワーク９００を介して通信が可能である。また、複合機１０００には、第２の実施の形態と同様に複数の排紙トレイそれぞれにＮＦＣチップ６００−１〜６００−ｎが貼り付けられている。
【０１０４】
複合機１０００は、機能取得部１０２と、データ処理部１０３と、プリンタ部１０４と、排紙部１０５と、スキャナ部１０６と、ファクシミリ送受信部１０７と、送受信部７１１とを備えている。ここで、機能取得部１０２と、データ処理部１０３と、プリンタ部１０４と、排紙部１０５と、スキャナ部１０６と、ファクシミリ送受信部１０７と、送受信部７１１の構成、機能は、第１、第２の実施の形態とほぼ同様であるので、説明を省略する。
【０１０５】
携帯端末装置５００は、第２の実施の形態での機能、構成とほぼ同一であるので、上述した説明を参照し、ここでの説明を省略する。
【０１０６】
サーバ装置１１００は、ブルートゥース通信部１１０４と、送受信部８０１と、データ取得部８０２と、印刷情報データベース８０３とを備えている。ここで、送受信部８０１と、データ取得部８０２と、印刷情報データベース８０３の構成、機能は、第３の実施の形態とほぼ同様であるので、説明を省略する。また、ブルートゥース通信部１１０４は、第２の実施の形態で説明した複合機４００のブルートゥース通信部４０９の機能、構成とほぼ同一であるので、第２の実施の形態での説明を参照し、ここでの説明を省略する。
【０１０７】
次に、以上のように構成されている複合機１０００上に貼り付けられているＮＦＣチップ６００、携帯端末装置５００、サーバ装置１１００、複合機１０００を備える印刷システム４０による機能設定／機能処理について説明する。図１３は、印刷システムが行う機能設定／機能処理手順を示すフローチャートである。
【０１０８】
まず、複合機１０００の複数のトレイに設置されたＮＦＣチップ６００−１〜６００−ｎそれぞれにおいて次の処理が行われる。ＮＦＣチップ６００は、携帯端末装置５００のリーダ／ライタ部５０１とのＮＦＣ通信が確立したか否かを判断する（ステップＳ１３０１）。ＮＦＣ通信が確立していない、すなわち携帯端末装置５００のリーダ／ライタ部５０１がＮＦＣチップ６００の通信範囲内に存在しないと判断した場合は（ステップＳ１３０１：Ｎｏ）、ステップＳ１３０１に戻り、携帯端末装置５００のリーダ／ライタ部５０１との通信が確立するまで繰り返す。
【０１０９】
同様に、携帯端末装置５００のリーダ／ライタ部５０１において、リーダ／ライタ部５０１はＮＦＣチップ６００とのＮＦＣ通信が確立したか否かを判断する（ステップＳ１３０２）。ＮＦＣ通信が確立していない、すなわち携帯端末装置５００のリーダ／ライタ部５０１がＮＦＣチップ６００の通信範囲内に存在しないと判断した場合は（ステップＳ１３０２：Ｎｏ）、ステップＳ１３０２に戻り、ＮＦＣチップ６００との通信が確立するまで繰り返す。
【０１１０】
次に、ＮＦＣ通信が確立した、すなわち携帯端末装置５００がＮＦＣチップ６００−１〜６００−ｎのいずれかの通信範囲内に存在すると判断した場合は（ステップＳ１３０１：Ｙｅｓ）、ＮＦＣチップ２０１は複合機ＩＤ、機能ＩＤ、設定値を送出する（ステップＳ１３０３）。ここで、携帯端末装置５００が通信範囲内に存在する場合とは、ユーザが携帯端末装置５００を複合機１０００上のＮＦＣチップ６００にタッチさせるような場合であり、ユーザが出力媒体を排紙させたいトレイを確実に指示することができる。
【０１１１】
携帯端末装置５００において、ＮＦＣ通信が確立した、すなわち携帯端末装置５００が通信範囲内に存在すると判断した場合は（ステップＳ１３０２：Ｙｅｓ）、リーダ／ライタ部５０１はＮＦＣチップ６００から複合機ＩＤ、機能ＩＤ、設定値を読取る（ステップＳ１３０４）。次に、ブルートゥース通信部５０２は、データ記憶部５０３から所属情報を取得する（ステップＳ１３０５）。ブルートゥース通信部５０２は、複合機ＩＤ、機能ＩＤ、設定値、所属情報を、サーバ装置１１００に送信する（ステップＳ１３０６）。なお、ブルートゥース通信に必要な通信設定情報は、予めサーバ装置１１００と携帯端末装置５００との間で交換されているものとする。
【０１１２】
サーバ装置１１００において、ブルートゥース通信部１１０４は携帯端末装置５００から送信された複合機ＩＤ、機能ＩＤ、設定値、所属情報を受信する（ステップＳ１３０７）。データ取得部８０２は、印刷情報データベース８０３から所属情報に対応する印刷データを取得する（ステップＳ１３０８）。送受信部８０１は、機能ＩＤ、設定値、印刷データを複合機ＩＤに対応する複合機１０００に送信する（ステップＳ１３０９）。
【０１１３】
複合機１０００において、送受信部７１１は機能ＩＤ、設定値、印刷データを受信する（ステップＳ１３１０）。次に、処理部は、機能ＩＤ、設定値に応じて印刷データを処理する。（ステップＳ１３１１）。具体的には、データ処理部１０３は受信した印刷データに画像処理等を行い、プリンタ部１０４は画像処理等が行われた印刷データを出力媒体に出力する。排紙部１０５は、機能ＩＤ、設定値に応じて出力媒体を排紙する。例えば、機能ＩＤ“outtray”、設定値“finisherupper”の場合は、印刷データが出力された出力媒体がトレイ（finisherupper）から排紙される。
【０１１４】
このように、複合機１０００の排紙トレイにＮＦＣチップを貼り付けることにより、印刷データを出力する複合機１０００の指示と出力媒体を排紙するトレイの指示を行うことができるため、複合機１０００のハードウェア構成を変更せずに、複合機への印刷指示および排紙トレイの指示を実現することができる。
【０１１５】
以上、本発明を第１〜第４の実施の形態を用いて説明してきたが、上述した実施の形態に多様な変更または改良を加えることができる。なお、上述した第１〜第４の実施の形態において説明した構成や機能は、自由に組み合わせることができる。
【図面の簡単な説明】
【０１１６】
【図１】第１の実施の形態にかかる印刷システムの構成を示すブロック図である。
【図２】リーダ／ライタ部が設置された位置の例を示す説明図である。
【図３】機能対応記憶部のデータ構成の一例を示す説明図である。
【図４】印刷システムが行う機能設定／機能処理手順を示すフローチャートである。
【図５】本実施の形態にかかる複合機のハードウェア構成を示す説明図である。
【図６】第２の実施の形態にかかる印刷システムの構成を示すブロック図である。
【図７】ＮＦＣチップに格納されているデータの一例を示す説明図である。
【図８】印刷システムが行う機能設定／機能処理手順を示すフローチャートである。
【図９】第３の実施の形態にかかる印刷システムの構成を示すブロック図である。
【図１０】印刷情報データベースのデータ構成の一例を示す説明図である。
【図１１】印刷システムが行う機能設定／機能処理手順を示すフローチャートである。
【図１２】第４の実施の形態にかかる印刷システムの構成を示すブロック図である。
【図１３】印刷システムが行う機能設定／機能処理手順を示すフローチャートである。
【符号の説明】
【０１１７】
１０  ２０  ３０  ４０  印刷システム
１００  ４００  ７００  １０００  複合機
１０１  リーダ／ライタ部
１０２  機能取得部
１０３  データ処理部
１０４  プリンタ部
１０５  排紙部
１０６  スキャナ部
１０７  ファクシミリ送受信部
１０８  機能対応記憶部
２００  ＩＣカード（携帯端末装置）
２０１  ＮＦＣチップ
４０９  ブルートゥース通信部
５００  携帯端末装置
５０１  リーダ／ライタ部
５０２  ブルートゥース通信部
５０３  データ記憶部
６００  ＮＦＣチップ
７１０  印刷データ取得部
７１１  送受信部
７１２  ＩＰアドレス記憶部
８００  １１００  サーバ装置
８０１  送受信部
８０２  データ取得部
８０３  印刷情報データベース
９００  ネットワーク
１１０４  ブルートゥース通信部
【図１】
0004963465.tif 000002
【図２】
0004963465.tif 000003
【図３】
0004963465.tif 000004
【図４】
0004963465.tif 000005
【図５】
0004963465.tif 000006
【図６】
0004963465.tif 000007
【図７】
0004963465.tif 000008
【図８】
0004963465.tif 000009
【図９】
0004963465.tif 000010
【図１０】
0004963465.tif 000011
【図１１】
0004963465.tif 000012
【図１２】
0004963465.tif 000013
【図１３】
0004963465.tif 000014